(57)【要約】  磁石が装着または内蔵された衛生帯が開示される。詳しくは、磁気を有する複数の弱い磁石が所定の原理に従って密集して配設されることにより、吐き気、不快、そして痛みを含む月経前症候群（ＰＭＳ）を解決または軽減するだけでなく、凝固した月経血を軟化させて凝固した月経血の放出を防ぎ、それによって体の各部の月経痛を和らげる衛生帯に関する。【特許請求の範囲】
【請求項１】
直接肌に接触するために柔らかい素材で作られた不織布層２と、
前記不織布層２の下側に配置されて月経血を吸収する吸収層３と、
前記吸収層２の下側に配置されて月経血が外側へ流出を防止する防水カバー４と、
前記防水カバー４から延設された羽根部５、５ａの下面に装着された両面接着テープ６、６ａとを備えている衛生帯１であって、
さらに前記吸収層３と前記防水カバー４の間に形成された専用スペース７と、
前記スペース７に内蔵されて１対の列に配列された複数の薄い棒状の磁石８であって、双方の列の間で形成される磁極の対が交互に逆になるように、例えばＮ−Ｓ、Ｓ−Ｎ、Ｎ−Ｓ、Ｓ−Ｎとして以降同じ順で配列されるように設けられた複数の磁石８と、
を備えたことを特徴とする衛生帯１。
【請求項２】
複数のボタン型磁石８ａが前記吸収層３と前記防水カバー４との間に形成された前記スペース７に内蔵され、双方の列の間で形成される磁極の対が交互に逆になるように、例えばＮ−Ｓ、Ｓ−Ｎ、Ｎ−Ｓ、Ｓ−Ｎとして以降同じ順で配列されるように設けられたことを特徴とする請求項１記載の衛生帯。
【請求項３】
複数のゴム状の磁石が前記吸収層３と前記防水カバー４との間に形成された前記スペース７に内蔵されていることを特徴とする請求項１または２に記載の衛生帯。
【請求項４】
前記衛生帯は不織布層２ａと該不織布層２ａの内側に配置された吸収層３ａとからなる挿入タイプの衛生帯１ａによって構成され、
さらに前記不織布層２ａと前記吸収層３ａとの間に形成された専用スペース７ａと、
該スペース７ａに装着または内蔵された複数の薄い棒状の前記磁石８、前記ボタン型磁石８ａまたはゴム状の磁石を備えていることを特徴とする請求項１記載の衛生帯。
【請求項５】
パンティーまたはパンティーライナーに適用されることを特徴とする請求項１記載の衛生帯。
【発明の詳細な説明】
【技術分野】
【０００１】
本発明は、磁石を配設または内蔵した衛生帯に関し、詳しくは複数の弱い磁石を密集して配設または挿入することにより、外陰部及び子宮周辺の血行を促進して月経前症候群（ＰＭＳ）を解決するだけでなく、凝血状態にある月経血の軟化を促し、凝固した状態の月経血の放出を防いで、月経痛を和らげることができる衛生帯に関する。
【背景技術】
【０００２】
通常、女性の月経は周期的に起こる子宮内膜からの出血である。衛生帯は月経血を衛生的に処分するために使用される。衛生帯は通常、月経血の浸透を防ぐために底層に配置された防水カバー、月経血を吸収するための吸収層、直接肌に接するため柔らかい素材で作られた不織布層、及び下着に固着するために最下層に配置された両面接着テープを備える。不織布層、吸収層、防水カバーがこの順で積層されて構成された一般的な衛生帯を使用者が身につけていると、身体から放出された月経血は不織布層を通り抜けて吸収層に浸透し、そして防水カバーによって遮られる。このようにして、衛生帯は下着から月経血が流出したり下着に付着したりすることを防ぐ。
【０００３】
しかしながら、上述したような一般の衛生帯は、単なる月経血の漏出防止のためのカバーとしてしか機能しない。言い換えれば、一般の衛生帯は月経痛の緩和、または月経血が凝固して放出されるときに月経血の凝固を軟化させるといった他の機能を持っていない。そのために、月経中の女性の多くは月経痛に悩まされている。それにもかかわらず、月経痛は薬物治療を必要とする細菌による症状ではないので、彼女たちは鎮痛剤のような薬を飲まなくても痛みに耐えることがしばしばある。さらに、月経血の凝固は衛生帯を身に着けている人を不快な気持ちにして、衛生帯の装着感を悪化させる。
【０００４】
一方、磁極（Ｎ極とＳ極）が血行や新陳代謝の促進、人体各部の機能の維持や修復、並びに痛みの軽減といった人体にとって多くの有用な効果を持っていることが広く知られている。そこで、磁石が持つ上記効能を利用したマグネットブレスレットやマグネットベルト、マグネットマットやマグネット肌着のような様々な製品が開発され、市場に投入されてきた。
【発明の概要】
【発明が解決しようとする課題】
【０００５】
しかしながら、今までのところ衛生帯に磁石を適用することは提案されていなかった。月経期に、子宮の筋肉が月経血を排出するために縮み、この作用に関連するホルモンであるプロスタグランディンの過度の分泌を引き起こす。子宮を除く他の周辺部への血流が過度のプロスタグランディンにより妨げられるので、酸素は順調且つ十分に末端器官へ供給されなくなるおそれがあり、そのために末端器官の虚血を招いたり体温が低下したりする。また、筋肉の収縮や酸欠によって月経痛が生じる。有用な効果を有した磁石を衛生帯に適用すれば、磁気により血行が促進されると共に、血管の中に酸素が十分に供給され、結果として体温の低下を防ぎ、月経痛を和らげる。この理論は多くの受胎可能な女性に行われた臨床実験を通して証明された。
【課題を解決するための手段】
【０００６】
従って、本発明は上記問題に鑑みてなされたものであり、本発明の目的は血行や新陳代謝の促進、並びに痛みの緩和といった様々な効果を持つことで知られている磁石を装着または内蔵した衛生帯を供給することにあり、本発明の衛生帯は、硬貨状または薄い棒状またはゴム状の磁石がＮ極とＳ極を１つずつ交互に配列しながら密集して配設されている複数の磁石からなる。これにより、吐き気、不快感や痛みを含む月経前症候群（ＰＭＳ）を軽減するだけでなく、月経血の凝固を軟化させることにより凝固状態の月経血の放出を防ぎ、それによって体の各部での月経痛を和らげる。
【発明の効果】
【０００７】
本発明によれば、血行や新陳代謝の促進、並びに痛みの緩和といった様々な効果を持つ複数の磁石が硬貨または薄い棒状の形で製造され、それらはＮ極とＳ極が１つずつ交互に配列されるように衛生帯に装着または内蔵される。磁気は上記配列によって最大限に強められ、従ってＰＭＳや月経痛が和らげられる。また、放出された月経血の凝固を軟化させることにより、不快感を軽減することができ、それによって衛生帯の装着感を改善することができる。
【図面の簡単な説明】
【０００８】
【図１】本発明の一実施例に係る衛生帯の透視図である。
【図２】衛生帯に配設または内蔵された磁石の配置を示す平面図である。
【図３】衛生帯に配設または内蔵された磁石の配置を示す別の平面図である。
【図４】図２の縦断面図である。
【図５】本発明の別の実施例に係る挿入タイプの衛生帯の断面図である。
【発明を実施するための形態】
【０００９】
添付図面は本発明の好ましい実施例について示している。但し、本発明は別の形態で実施することも可能であり、図面に示される実施例に限定されると解釈されるべきではない。
本発明の上述した目的及び他の目的、特徴、並びに他の利点は添付している図に関して行う以下の詳細な説明により明確に理解される。
【実施例】
【００１０】
以下に、本発明の一実施例について添付した図を参照しながら詳細に説明する。
図１は本発明の実施例に係る衛生帯の透視図である。図２は衛生帯に配設または内蔵された磁石の配置を示す平面図であり、図３は衛生帯に配設または内蔵された磁石の配置を示す別の平面図である。図４は図３の縦断面図である。図１から３に示すように、本発明に係る衛生帯１は、柔らかい素材で作られて肌に直接触れる不織布層２と、不織布層２の下に配置されて月経血を吸収する吸収層３と、吸収層２の下に配置されて月経血が浸透したり外側に漏れたりすることを防ぐ防水カバー４と、防水カバー４から各々延設された羽根部５、５ａの下面に装着された両面接着テープ６、６ａとを備える。専用スペース７が吸収層３と防水カバー４の間に形成され、薄い棒状の複数の磁石８がスペース７に密集して内蔵されている。具体的には、磁石８は１対の列をなして配列され、双方の列の間で形成される磁極の対のそれぞれは交互に逆になるように、即ち、例えばＮ−Ｓ、Ｓ−Ｎ、Ｎ−Ｓ、Ｓ−Ｎとして以下同じ順で配列されるようになっている。薄い棒状の磁石８の代わりにボタン型磁石８ａを用いてもよい。また、薄い棒状の磁石８とボタン型磁石８ａはゴム状の磁石を用いることも可能である。
【００１１】
図４は本発明の別の実施例に係る挿入タイプの「タンポン」と呼ばれる衛生帯を示している。挿入タイプの衛生帯１ａは、直接肌に触れるための柔らかい素材で作られた不織布層２ａと、不織布層２ａの内側に配置されて月経血を吸収する吸収層３ａとを含む。専用スペース７ａは内側、即ち不織布層２ａと吸収層３ａの間に形成されることにより薄い棒状の複数の磁石８をスペース７ａに内蔵することができるようになっている。ここで、磁石８は１対の列をなして配列され、双方の列の間で形成される磁極の対のそれぞれは交互に逆になるように、即ち、例えばＮ−Ｓ、Ｓ−Ｎ、Ｎ−Ｓ、Ｓ−Ｎとして以下同じ順で配列されるようになっている。薄い棒状の磁石８ａの代わりにボタン型磁石８ａを用いることができる。また、薄い棒状の磁石８とボタン型磁石８ａはゴム状の磁石を用いることも可能である。
【産業上の利用可能性】
【００１２】
防水カバー４及び防水カバー４から伸びた羽根部５、５ａに装着された両面接着テープ６、６ａを用い、使用者は下着の内側に上述のように構成された衛生帯を貼り付けて下着に着ける。ここで、吸収層３及び防水カバー４の間にあるスペース７に挿入された複数の薄い棒状の磁石８またはボタン型磁石８ａが薄片で形成されているので、衛生帯の装着感は従来の衛生帯と比べると低下していない。さらに、一般的な従来の衛生帯の機能である月経血の漏出防止に加えて、本発明による衛生帯は、吸収層３と防水カバー４の間のスペース７に挿入された磁石８、８ａにより、磁気が血行や血管内への酸素の供給を促進するので、ＰＭＳや月経痛を軽減することができる。その上、磁石８、８ａは凝固した月経血の軟化を促すので、装着感を改善することが可能である。これらの効果は多くの受胎可能な女性に行われた実験を通して証明されている。
【００１３】
磁極の配置についてより具体的に述べると、１番目の対をなす磁石の列がＮ極とＳ極の順に配置されるとすれば、２番目の対をなす列はＳ極とＮ極の順に配置され、３番目の対をなす列は再びＮ極とＳ極の順に、隣接する列の間で磁極が逆になるように配置される。従って、強い磁石ではなく比較的弱い磁気を持つ弱い磁石を密集して繰り返し配列することにより、上記の効果、即ち血行や酸素供給の促進、並びに様々なＰＭＳや月経痛の軽減を期待することができる。
【００１４】
一方、別の実施例によれば、本発明の原理は図４に示す「タンポン」と呼ばれる挿入タイプの衛生帯１ａに適用することができる。また、パンティーライナーまたはパンティー（図示せず）は本発明の原理を導入して同様の効果を得ることができる。
説明のために本発明の好ましい実施例を開示したが、当業者は、添付の請求項に示される発明の範囲及び真意から逸脱することなく、様々な変更、付加、置換を行うことが可能であると認識することができる。
【図１】
2009542405.tif 000002
【図２】
2009542405.tif 000003
【図３】
2009542405.tif 000004
【図４】
2009542405.tif 000005
【図５】
2009542405.tif 000006
【手続補正書】
【提出日】平成21年7月9日(2009.7.9)
【手続補正１】
【補正対象書類名】特許請求の範囲
【補正対象項目名】請求項１
【補正方法】変更
【補正の内容】
【請求項１】
直接肌に接触するために柔らかい素材で作られた不織布層２と、
前記不織布層２の下側に配置されて月経血を吸収する吸収層３と、
前記吸収層３の下側に配置されて月経血が外側へ流出を防止する防水カバー４と、
前記防水カバー４から延設された羽根部５、５ａの下面に装着された両面接着テープ６、６ａとを備えている衛生帯１であって、
さらに前記吸収層３と前記防水カバー４の間に形成された専用スペース７と、
前記スペース７に内蔵されて１対の列に配列された複数の薄い棒状の磁石８であって、双方の列の間で形成される磁極の対が交互に逆になるように、例えばＮ−Ｓ、Ｓ−Ｎ、Ｎ−Ｓ、Ｓ−Ｎとして以降同じ順で配列されるように設けられた複数の磁石８と、
を備えたことを特徴とする衛生帯１。
【手続補正２】
【補正対象書類名】明細書
【補正対象項目名】０００８
【補正方法】変更
【補正の内容】
【０００８】
【図１】本発明の一実施例に係る衛生帯の透視図である。
【図２】衛生帯に配設または内蔵された磁石の配置を示す平面図である。
【図３】衛生帯に配設または内蔵された磁石の配置を示す別の平面図である。
【図４】図２または図３の縦断面図である。
【図５】本発明の別の実施例に係る挿入タイプの衛生帯の断面図である。
【手続補正３】
【補正対象書類名】明細書
【補正対象項目名】００１０
【補正方法】変更
【補正の内容】
【００１０】
以下に、本発明の一実施例について添付した図を参照しながら詳細に説明する。
図１は本発明の実施例に係る衛生帯の透視図である。図２は衛生帯に配設または内蔵された磁石の配置を示す平面図であり、図３は衛生帯に配設または内蔵された磁石の配置を示す別の平面図である。図４は図２または図３の縦断面図である。図１から３に示すように、本発明に係る衛生帯１は、柔らかい素材で作られて肌に直接触れる不織布層２と、不織布層２の下に配置されて月経血を吸収する吸収層３と、吸収層３の下に配置されて月経血が浸透したり外側に漏れたりすることを防ぐ防水カバー４と、防水カバー４から各々延設された羽根部５、５ａの下面に装着された両面接着テープ６、６ａとを備える。専用スペース７が吸収層３と防水カバー４の間に形成され、薄い棒状の複数の磁石８がスペース７に密集して内蔵されている。具体的には、磁石８は１対の列をなして配列され、双方の列の間で形成される磁極の対のそれぞれは交互に逆になるように、即ち、例えばＮ−Ｓ、Ｓ−Ｎ、Ｎ−Ｓ、Ｓ−Ｎとして以下同じ順で配列されるようになっている。薄い棒状の磁石８の代わりにボタン型磁石８ａを用いてもよい。また、薄い棒状の磁石８とボタン型磁石８ａはゴム状の磁石を用いることも可能である。
【手続補正４】
【補正対象書類名】図面
【補正対象項目名】全図
【補正方法】変更
【補正の内容】
【図１】
2009542405.tif 000007
【図２】
2009542405.tif 000008
【図３】
2009542405.tif 000009
【図４】
2009542405.tif 000010
【図５】
2009542405.tif 000011
【国際調査報告】
2009542405.tif 000012
2009542405.tif 000013